(57)【要約】【課題】  この発明は、人々が会話をしながら空間を共に過ごすことにより、より深いコミュニケーションの記憶が得られるシステムを提供する。【解決手段】  ＢＳＣスピーカ２０ａ、２０ｂによって音場を再現する音響空間１０ａ、１０ｂと、音響空間内に設けられる会話者の音声を収音するマイク１６ａ、１６ｂと、マイク１６ａ、１６ｂからの音声情報と共有する音場の情報に基き共有音場の空間データ情報を作成する共有音場データ作成手段と、共有音場データ作成手段からの空間データ情報に基づき音響空間１０ａ、１０ｂのスピーカの駆動を制御する制御手段１１ａ、１１ｂと、を有し、複数の音響空間からの音声情報が共有音場作成室３０に与え、各音響空間に対応した共有音場の空間データ情報を作成し、各音響空間１０ａ、１０ｂは対応する空間データ情報に基づきスピーカ２０ａ、２０ｂの駆動が制御され共有音場を再現する。【選択図】  図１
2008227773.tif 000002
【特許請求の範囲】
【請求項１】
複数のスピーカによって音場を再現する音響空間と、この音響空間内に設けられる会話者の音声を取得する収音手段と、この収音手段からの音声情報と共有する音場の情報に基き共有音場の空間データ情報を作成する共有音場データ作成手段と、前記共有音場データ作成手段からの空間データ情報に基づき前記音響空間のスピーカの駆動を制御する制御手段と、を有し、複数の前記音響空間からの音声情報が前記共有音場データ作成手段に与えられ、前記共有音場データ作成手段は、各音響空間に対応した共有音場の空間データ情報を作成し、各音響空間は対応する共有音場データ作成手段からの空間データ情報に基づきスピーカの駆動が制御され共有音場を再現することを特徴とする音響空間共有装置。
【請求項２】
前記音響空間に設けられる複数のスピーカは、境界音場制御原理に基づき駆動を制御されることを特徴とする請求項１に記載の音響空間共有装置。
【請求項３】
前記共有音場データ作成手段は、共有音場として仮定した空間を覆うように設置された複数のマイクロフォンからの音情報に基づき空間データ情報を作成することを特徴とする請求項１に記載の音響空間共有装置。
【請求項４】
複数のマイクロフォンで形成された空間内に会話者の音声を出力するスピーカが設けられていることを特徴とする請求項３に記載の音響空間共有装置。
【請求項５】
前記共有音場データ作成手段は、複数の共有音場に基づく空間データを格納する記憶手段を有し、この記憶手段からの空間データを読み出し、前記音響空間のスピーカの駆動を制御する制御信号を作成することを特徴とする請求項１に記載の音響空間共有装置。
【請求項６】
前記音響空間及び共有音場データ作成手段に通信制御手段が設けられ、前記音響空間と共有音場データ作成手段とがネットワークを介して接続されていることを特徴とする請求項１から５のいずれか１項に記載の音響空間共有装置。
【請求項７】
前記音響空間の複数のスピーカはドーム状に配置されていることを特徴とする請求項１に記載の音響空間共有装置。
【発明の詳細な説明】
【技術分野】
【０００１】
この発明は、複数のスピーカによって音場を合成再生し、共有するリアリティ音場を再現して、その音響空間を共有する装置に関し、特に、再生音場内にいる会話者が互いに話者にもなる音響空間を制御する装置に関するものである。
【背景技術】
【０００２】
ある空間において、人々がコミュニケーションを交わすとき、言語的な意味の交換は勿論重要である。さらに、その空間を共に過ごしたという記憶が意外に重要である。電話の場合は、話すことが無くなれば、電話を切ることになるが、同一の空間にいる場合には話すことがなくなっても、一緒に空間を共有することができる。
【０００３】
同一の空間にいる場合には、話をしていなければコミュニケーションが存在しないというわけではなく、非言語的で身体的なコミュニケーションが存在していると考えて良い。すなわち、意味を交換することだけではなく、共に同じ空間を過ごすという記憶を得ることが、会って話をするという会話本来の重要な機能である。しかし、この機能は現在の通信技術においては、欠落しているのが現状である。
【０００４】
ところで、高い臨場感のある音場を生成するために多くの方法が提案されている。その中で、境界音場制御（Ｂｏｕｎｄａｒｙ  Ｓｕｒｆａｃｅ  Ｃｏｎｔｒｏｌ：ＢＳＣ）の原理に基づいた音場再現方法が提案されている。
【０００５】
境界音場制御（以下、ＢＳＣと略記する。）の原理は、境界から離れた点に音源を設置し、逆システムを用いて生成された信号を音源から出力する方法である。
【０００６】
境界音場制御の原理によれば、その領域を囲む境界上の音圧と音圧勾配を制御することにより、３次元音場内の任意の領域内の音圧を制御できる。厳密に制御を行うためには、境界面を波長よりも十分短く離散化する必要がある。そこで、会話者の頭部周辺での音場再現を目的とした６４ｃｈの収音・再生が可能なコンパクトな没入型聴覚ディスプレイシステムが提案されている（非特許文献１参照）。
【０００７】
上記したＢＳＣ原理を用いた音場再現室を構成して、この室内に会話者が入ることで、会話者の音場を共有することが考えられる。例えば、このＢＳＣ原理を用いて、会話者との間で音場を共有するシステムを図１１に示す。
【０００８】
図１１に示すように、音響空間を構成する音場再現室１０内には、ＢＳＣスピーカ２０が設けられている。このＢＳＣスピーカ２０は、ＢＳＣの原理による音場再現を行うために、複数のスピーカが所定の位置に配置されている。このＢＳＣスピーカ２０に対して、所定の位置に設けられた椅子１５に、会話者１が着席して、ＢＳＣスピーカ２０からの音を聴取する。ＢＳＣスピーカ２０は、共有音場１３０で取得された音圧信号等に基づき、ＢＳＣシステム制御部１１により駆動される。
【０００９】
ＢＳＣの原理は、会話者１を取り囲む面Ｓ２上における音圧信号が共有音場１３０の面Ｓ１における音圧信号と同一になるように、ＢＳＣスピーカ２０を駆動するものである。すなわち、共有音場１３０の面Ｓ１の内部に会話者１が存在していると仮定し、面Ｓ１の音圧信号を取得するべく、複数のマイクロフォンからなるＢＳＣマイクロフォン（図示せず）が面Ｓ１に沿って配置されている。一方、会話者１が発した音声がマイク１６で収音され、共有音場１３０に設置されたスピーカ３２より出力される。よって、ＢＳＣマイクロフォンには、共有音場１３０内にいる会話者２からの音声、共有音場１３０内の音、スピーカ３２から出力される会話者１の音が取得されることになる。
【００１０】
ＢＳＣマイクロフォンからの音圧信号に基づき、スピーカ２０の駆動をＢＳＣシステム制御部１１で制御し、会話者１を取り囲む面Ｓ２上における音圧信号が共有音場１３０の面Ｓ１における音圧信号と同一にする。この結果、会話者１を取り囲む空間Ｖ２内では、共有音場の空間Ｖ１と同一の音場が生成され、音場再現室１０内にいる会話者１は、会話者２がいる共有音場１３０と同じ空間の音響効果を感じることができる。
【００１１】
上記のように構成したシステムにおいては、音場再現室１０内にいる会話者１は、会話話者２がいる共有音場１３０と同じ空間を感じることができる。しかし、その反対に、会話者２が会話者１の存在する空間を感じることはできない。
【００１２】
会話者２の側にも音場再現システムを設置することも考えられるが、両者が互いに音場再現室内部の空間を感じることになり、同一の空間を感じるという目的を達成することは難しい。
【非特許文献１】日本音響学会誌６２巻１号（２００６），ｐｐ．３２−４１「コンパクトな没入型聴覚ディスプレイの試作と評価」
【発明の開示】
【発明が解決しようとする課題】
【００１３】
この発明は、上記した、従来の課題に鑑み、人々が会話をしながら空間を共に過ごすことにより、より深いコミュニケーションの記憶が得られるシステム、すなわち、リアリティ音場通信システムを提供することを目的とする。
【課題を解決するための手段】
【００１４】
この発明の音響空間共有装置は、複数のスピーカによって音場を再現する音響空間と、この音響空間内に設けられる会話者の音声を取得する収音手段と、この収音手段からの音声情報と共有する音場の情報に基き共有音場の空間データ情報を作成する共有音場データ作成手段と、前記共有音場データ作成手段からの空間データ情報に基づき前記音響空間のスピーカの駆動を制御する制御手段と、を有し、複数の前記音響空間からの音声情報が前記共有音場データ作成手段に与えられ、前記共有音場データ作成手段は、各音響空間に対応した共有音場の空間データ情報を作成し、各音響空間は対応する共有音場データ作成手段からの空間データ情報に基づきスピーカの駆動が制御され共有音場を再現することを特徴とする。
【００１５】
前記音響空間に設けられる複数のスピーカは、境界音場制御原理に基づき駆動を制御される。
【００１６】
また、前記共有音場データ作成手段は、共有音場として仮定した空間を覆うように設置された複数のマイクロフォンからの音情報に基づき空間データ情報を作成するように構成できる。
【００１７】
また、複数のマイクロフォンで形成された空間内に会話者の音声を出力するスピーカを設けるとよい。
【００１８】
また、前記共有音場データ作成手段は、複数の共有音場に基づく空間データを格納する記憶手段を有し、この記憶手段からの空間データを読み出し、前記音響空間のスピーカの駆動を制御する制御信号を作成するように構成できる。
【００１９】
前記音響空間及び共有音場データ作成手段に通信制御手段が設けられ、前記音響空間と共有音場データ作成手段とがネットワークを介して接続することができる。
【００２０】
前記音響空間の複数のスピーカはドーム状に配置するとよい。
【発明の効果】
【００２１】
この発明は、会話者が複数存在しても、各会話者の周囲に、共有空間を構成する他の同一の共有音場を生成することができ、同一の音響空間にて、コミュニケーションが行えるシステムを構築することができる。
【発明を実施するための最良の形態】
【００２２】
以下、この発明の実施の形態につき図面を参照して説明する。図１は、この発明の音響空間共有装置の構成を示す模式図である。
【００２３】
図１に示すように、この発明は、会話者が複数存在し、各会話者の周囲に、共有空間を構成する他の同一の共有音場を生成するものである。共有音場を生成することにより、同一の空間にて、コミュニケーションが行えるシステムを構築する。
【００２４】
図１に示すように、会話者１、２の周囲に、共有音場作成室３０内で得られた情報から作成される共有音場における空間データが与えられる。会話者１、２は、前述したものと同様の音場再現室１０ａ（音場再現室１）、１０ｂ（音場再現室２）に、それぞれに入室している。この実施形態においては、音場再現室１０ａ、１０ｂで共有音場が再現され音響空間として機能する。
【００２５】
この音場再現室１０ａ、１０ｂには、音場を再現するためのＢＳＣシステム制御部１１ａ、１１ｂが設けられている。このＢＳＣシステム制御部１１ａ、１１ｂは、会話者１、２の周囲に共有音場における空間データを与えるために、共有音場作成室３０内の共有音場データ作成制御部（図示しない）と接続されている。ＢＳＣシステム制御部１１ａ、１１ｂと共有音場作成室３０内の共有音場データ作成制御部とは、図示はしないが、ＬＡＮ、ブロードバンドネットワークなどの通信手段を用いて接続されている。この図１においては、この発明のシステムの理解を容易にするために、通信手段等は省略している。
【００２６】
音場再現室１０ａ、１０ｂ内には、ＢＳＣの原理による音場再現を行うために、複数のスピーカが所定の位置に配置されたＢＳＣスピーカ２０ａ、２０ｂが設けられている。このＢＳＣスピーカ２０ａ、２０ｂに対して、所定の位置に設けられた椅子１５ａ、１５ｂに、会話者１、２がそれぞれ着席して、スピーカ２０ａ、２０ｂからの音を聴取する。
【００２７】
スピーカ２０ａ、２０ｂは、共有音場作成室３０内で取得された音圧信号に基づき、ＢＳＣシステム制御部１１ａ、１１ｂにより駆動される。
【００２８】
共有音場作成室３０には、会話者１の共有音場の音圧信号を取得するためのＢＳＣマイクロフォン３１ａ、会話者２の共有音場の音圧信号を取得するためのＢＳＣマイクロフォン３１ｂが配置されている。共有音場として仮定した共有音場再現室３１の空間Ｖ１、Ｖ２に会話者１、２が存在している仮定し、空間Ｖ１、Ｖ２の音圧信号を取得するべく、複数のマイクロフォンからなるＢＳＣマイクロフォン３１ａ、３１ｂを配置している。
【００２９】
会話者１、２が発した音声は、音場再現室１０ａ、１０ｂ内のマイク１６ａ、１６ｂで収音され、通信手段を介して共有音場作成室３０に送られる。そして、共有音場作成室３０内の音声再生用スピーカ３２ａ、３２ｂよりそれぞれ出力される。音声再生用スピーカ３２ａ、３２ｂは会話者１、２がそれぞれ存在していると仮定している箇所、すなわち、空間Ｖ１、Ｖ２に設置される。具体的には、ＢＳＣマイクロフォン３２ａ、３２ｂの空間内に設置される。
【００３０】
共有音場作成室３０では、会話者１、２の音声、共有音場内の音が、ＢＳＣマイクロフォン３２ａ、３２ｂで収音されることになる。
【００３１】
このようにして、ＢＳＣマイクロフォン３２ａで会話者１のための共有音場データ、ＢＳＣマイクロフォン３２ｂで会話者２のための共有音場データを取得する。すなわち、各会話者１、２の音声は音場再現室１、２内のマイクロフォン１６ａ、１６ｂによって収音され、共有音場作成室３０の音声再生用スピーカ３２ａ、３２ｂによって再生される。共有音場作成室３０で再生された音声は、ＢＳＣマイクロフォン３２ａ、３２ｂによって再び収音されて会話の相手の音場再現室１ａ、１ｂ内のＢＳＣスピーカ２０ａ、２０ｂにおいて再現されることになる。
【００３２】
ＢＳＣマイクロフォン３１ａ、３１ｂは、例えば、図２に示すように設けられる。図２は、ＢＳＣマイクロフォン３１ａ、３１ｂの一例を示す模式図である。この実施形態において、ＢＳＣマイクロンフォン３１ａ、３１ｂは、空間をほぼ均等に区分けするための形状として、Ｃ８０フラーレンの一部を利用している。システムの利用者（会話者）の頭部全体を覆うことが出来る程度のＣ８０フラーレンからなるフレーム３１を作成する。この実施形態におけるＣ８０フラーレンは、８０個のノードから頭部をフレーム内部に入れるための１０個のノードを除いた７０個のノードで構成する。７０個のノードの位置は、６角形と５角形の組み合わせにより構成されている。マイクロフォンは、７０個のノードの位置に１個ずつの７０個を用いた。この実施形態においては、図２に示すように、ＢＳＣマイクロフォン３１ａ、３１ｂの内部に、音声再生用スピーカ３２ａ、３２ｂが設置される。
【００３３】
このＢＳＣマイクロンフォン３１ａ、３１ｂにて、共有音場の任意の位置の閉空間を囲む境界上の音圧と粒子速度を測定し、その測定結果に基づく音圧信号を出力する。この音圧信号に基づきＢＳＣシステム制御部１１ａ、１１ｂは、ＢＳＣスピーカ２０ａ、２０ｂのスピーカと音場再現室１０ａ、１０ｂの会話者１、２の耳の位置との間の音響系の逆システムに基づいたフィルタ処理を行い、ＢＳＣスピーカ２０ａ、２０ｂの各スピーカから音を出力し、共有音場を再現する。
【００３４】
上記したように、ＢＳＣの原理は、会話者を取り囲む面上における音圧信号が共有音場の面における音圧信号と同一になるように、ＢＳＣスピーカ２０ａ、２０ｂを駆動するものである。
【００３５】
このＢＳＣの原理は、境界面外側から到達する音波に対して成立する理論である。図１のように、音声再生用スピーカ３２ａ、３２ｂがＢＳＣマクロフォン３１ａ、３１ｂの内部に設置される場合には、境界面内部の信号、すなわち、スピーカ３２ａ、３２ｂからの音声Ｌ１１、Ｌ２２の直接音部分をキャンセルする必要がある。従って、ＢＳＣシステム制御部１１ａ、１１ｂに必要な機能は、音場再現室１０ａ、１０ｂ内の伝達関数Ｍ１、Ｍ２の逆システムおよび自らの音声Ｌ１１、Ｌ２２の直接音信号をキャンセルするシステムとを重ね合わせたものになる。また、厳密には、音場再現室１０ａ、１０ｂ内で発生した際に生じる自分の音声の反響（Ｍ’１、Ｍ’２）を抑制する必要がある。しかし、共有音場の再現信号に比べて僅かなので、無視しても別条ない。
【００３６】
上記したＢＳＣシステム制御回路１１ａ、１１ｂは、基本的には、ＢＳＣの原理による音場再現を行うものである。ＢＳＣの原理によると、３次元空間内の任意の領域を囲む閉曲面上の音圧と音圧勾配を制御することが出来れば、領域内部の任意の点の音圧を制御することが可能となり、各会話者が共有音場を共有できるものである。ＢＳＣの原理につき簡単に説明する。
【００３７】
ＢＳＣの原理は、図３に示すように、原音場内の領域Ｖの音場を、再生音場内の領域Ｖ’において、再現するシステムを考えている。ただし、領域Ｖと領域Ｖ’を囲む境界ＳとＳ’上の収録点（ｒｅｃｏｒｄｉｎｇ  ｐｏｉｎｔ）ｒ、制御点（ｃｏｎｔｏｒｏｌ  ｐｏｉｎｔ）ｒ’と領域内部の点Ｓ、Ｓ’の相対位置は等しいとしている。このことから、下記（１）式が成立する。
【００３８】
【数１】
2008227773.tif 000003
【００３９】
このとき内部に音源を含まない領域内の音圧ｐ（ｓ）、ｐ（ｓ’）は、Ｋｉｒｃｈｈｏｆｆ−Ｈｅｌｍｈｏｌｔｚ積分方程式により、下記（２）になる。
【００４０】
【数２】
2008227773.tif 000004
【００４１】
ただし、ωは角周波数、ρは媒質の密度、ｐ（ｒ）、∂ｐ（ｒ／ｓ）／∂ｎはそれぞれ境界上の点ｒにおける音圧と法線ｎ方向の音圧勾配、Ｇ（ｒ／ｓ）はグリーン関数とする。ここで式（２）の関係より、下記式（３）が成立する。したがって、下記式（４）が得られる。
【００４２】
【数３】
2008227773.tif 000005
【００４３】
【数４】
2008227773.tif 000006
【００４４】
式（４）より、原音場で収音された境界面上の音圧と音圧勾配を再現音場においてそれぞれ等しくなるように制御すれば、領域Ｖ内の音場が領域Ｖ’において再現されることがわかる。
【００４５】
ここで、音圧勾配境界上の点ｒｉ（添え字ｉは離散化した境界Ｓの微少要素の１つを表す）において、境界を挟む２点に設置したマイクロフォンで測定した音圧の差により求めることが出来る。しかしながら、境界値問題における解の一意性から、固有周波数を制御すれば、音圧勾配を制御することが出来、境界内部の音圧も制御できる。
【００４６】
再生音場の制御点において、原音場の収録点で収録された信号を再現するためには、再生音場の全ての２次音源（Ｓｅｃｏｎｄａｒｙ  ｓｏｕｒｃｅ）と全ての制御点の間の伝達特性と空間ストロークを打ち消す逆フィルタを必要とする。
【００４７】
図４に示す関係から逆フィルタマトリクスを求めることができる。逆システムの入力信号をｘ、伝達関数マトリクスを［Ｇ］、制御点における出力信号をｘ’とすると、逆フィルタマトリクスについて以下の式が成り立つ。
【００４８】
ｘ’＝［Ｇ］［Ｈ］ｘ
ここで、逆フィルタマトリクス［Ｈ］は以下のように書くことが出来る。
【００４９】
［Ｈ］＝［Ｇ］−
ただし、［Ｇ］−は［Ｇ］の一般逆行列である。また、［Ｇ］、［Ｈ］、ｘ、ｘ’は次
の通りとする。
【００５０】
【数５】
2008227773.tif 000007
【００５１】
上記した境界音場制御（ＢＳＣ）の原理に基づいて、ＢＳＣマイクロンフォン３１ａ、３１ｂで収音したデータに基づき、ＢＳＣシステム制御部１１ａ、１１ｂはＢＳＣスピーカ２０ａ、２０ｂを制御する。
【００５２】
上記した７０個のマイクロンフォンで収音した音を再生するためには、マイクロフォンの数以上のスピーカを用いることが望ましい。これは、フィルタ設計の演算において、マイクロフォンの数以上のスピーカであれば、近似解にならず、行列演算によりフィルタ特性が得られるからである。勿論、マイクロフォンの数より少ないスピーカを用いて、スピーカシステムを構成することもできる。この場合には、フィルタ演算は、近似解を用いることになる。
【００５３】
次に、上記した音場再現室１０ａ、１０ｂとして用いて好適な音場再現室を図５、図６及び図７に従い説明する。音場再現室１０ａ、１０ｂは、同じ構成で実現されているので、図５、図６、図７においては、符号にａ、ｂという添え字は省略している。
【００５４】
図５は、この発明に用いて好適な音場再現室を示す斜視図、図６は、音場再現室の外側の壁面を除いて、ＢＳＣスピーカシステムの配置状態を示す斜視図、図７は、音場再現室におけるスピーカシステムを下方から見た図である。この実施形態においては、７０個のマイクロンフォンに対して、７０個のスピーカを用いて音場再現室を構成している。
【００５５】
図５に示すように、この実施形態においては、外部からのノイズ等を遮断するために、３次元音場再生装置を設置する音場再現室１０として防音室１００を用いている。この防音室１００内には、ドア１０１から内部に入り、ドア１０１を閉めることで、外部とは遮断された防音室１００となる。
【００５６】
音場再現室１０は、内部に吸音処理が施されている。この防音室１００の中央部にリフト装置１０２が設けられ、このリフト装置１０２上に会話者が座る椅子１５が取り付けられている。リフト装置１０２は、音場再現領域の高さまで会話者の頭部を移動させるために上昇する。また、椅子１５は回転可能であり、頭部が再現領域内部で回転出来るように構成されている。
【００５７】
なお、図示はしないが、内部に映像投影用のスクリーン及びプロジェクタが設置され、映像を音とともに再生し、バーチャルリアリティを体験出来るように構成されている。また、会話者の音声を収音するマイク、会話者を撮影するビデオカメラを設けられている。
【００５８】
会話者を中心とする３次元軸上の正負の位置にＢＳＣスピーカ２０として複数のスピーカ群２１０〜２１４を配置し、スピーカは会話者の定位の弁別限の小さな方向に多く配置している。
【００５９】
図６及び図７に示すように、会話者を取り囲むように、スピーカの取り付け部材２０２が配置され、会話者の上方の取り付け部材２はアーチ状に曲げられている。会話者の頭部が位置する場所はドーム状に形成されている。
【００６０】
すなわち、会話者の頭部より下方には、４隅に直線状の取り付け部材２０２が設けられ、この取り付け部材２０２の直線部分に、それぞれ２つずつのＢＳＣスピーカ２０の一部としてのスピーカ２１５…が取り付けられている。従って、会話者の頭部より下方には、計８個のスピーカ２１５…が取り付けられている。会話者の頭部より下方部に位置する８個のスピーカは、特に中低音を中心とした音が十分に再生できるスピーカを用いている。
【００６１】
頭部より上方に位置する部分には、アーチ状に曲げられた取り付け部材２０２に、正中面に対する角度が異なる位置の水平面に対して、第２の取り付け部材２０３が取り付けられている。この第２の取り付け部材２０３に、それぞれ複数個のＢＳＣスピーカ２０の一部としてのフルレンジのスピーカ２１１〜２１４が取り付けられている。
【００６２】
そして、人間の定位の弁別限の小さな方向に数多くのスピーカを配置している。このため、会話者の両耳が位置する水平面近傍に最大個数のスピーカを配置している。
【００６３】
上記した実施形態においては、７０個のスピーカを用いたが、スピーカの個数はこれに限るものではない。また、ドーム状にスピーカを配置しているが、ドーム状に限らず、単に円筒状や，四角柱状のスピーカ配置でもよく、それぞれのスピーカ配置に従い、予測・逆システムの演算を行い、フィルタ特性を設定すればよい。
【００６４】
図８及び図９を参照して、この発明の音響空間共有装置の構成につき更に説明する。図８は、この発明の音響空間共有装置の構成を示すブロック図、図９は、この発明の音響空間共有装置における音場再生装置の構成例を示すブロック図である。尚、図９においては、便宜上、会話者１（２）の正面部分にスピーカを配置したように記載しているが、実際には会話者１（２）を取り囲むように７０個のスピーカが配置されている。
【００６５】
図８は、本実施形態にかかる音響空間共有装置の全体構成を示すブロック図である。
図８に示すように、音響空間共有装置は、ネットワーク５０と接続される通信インターフェース４０ａ（４０ｂ）、ＢＳＣ制御装置１１ａ（１１ｂ）、アンプ７０ａ（７０ｂ）、ＢＳＣスピーカ２０ａ（２０ｂ）、マイク１６ａ（１６ｂ）、及び共有音場データ作成制御部３００を備える。共有音場データ作成制御部３００は、共有音場作成室３０に設けられている。
【００６６】
図に示すように、共有音場データ作成制御部３００を除いた各部は、音場再現室の各々に個別に備え付けられる。この図８においては、２つの音場再現室を記載してるが、２以上の音場再生装置をネットワーク５０に接続することができる。
【００６７】
また、共有音場データ作成制御部３００には、前述したように、会話者１、２の周囲の共有音場における空間データを与えるための音圧信号を作成し、対応する音場再現室にネットワーク５０を介して音圧信号データなどからなる制御信号を送出する。このため、この共有音場データ作成制御部３００は、接続される音源再生室にそれぞれ対応するＢＳＣマクロフォン、音声スピーカなどが設けられている。そして、ＢＳＣマクロフォンからの信号を図示していないが通信インターフェースを介してネットワーク５０に送出する。
【００６８】
この音場再現室１０ａ、１０ｂには、音場を再現するためのＢＳＣシステム制御部１１ａ、１１ｂが設けられている。このＢＳＣシステム制御部１１ａ、１１ｂはそれぞれ通信インターフェース４０ａ、４０ｂを介してネットワーク５０を介して共有音場作成データ制御部３００と接続されている。
【００６９】
音場再現室１０ａ、１０ｂ内には、ＢＳＣの原理による音場再現を行うために、複数のスピーカが所定の位置に配置されたＢＳＣスピーカ２０ａ、２０ｂが設けられている。スピーカ２０ａ、２０ｂは、共有音場作成データ制御部３００で作成した音圧信号がネットワーク５０、通信インターフェース４０ａ、４０ｂを介してＢＳＣシステム制御部１１ａ、１１ｂに与えられる。ＢＳＣシステム制御部１１ａ、１１ｂは、共有音場作成データ制御部３００から送られてきた音圧信号に基づき、上記したＢＳＣの原理に基づいて、フィルタ係数等を演算し、その演算結果に基づきアンプが７０ａ、７０ｂが駆動され、スピーカ２０ａ、２０ｂが駆動される。
【００７０】
次に、図９に従い、各音場再現室の動作につき、更に説明する。
【００７１】
共有音場データ作成制御部３００で作成した音圧信号が通信インターフェース４０ａ（４０ｂ）に与えられ、通信インターフェース４０ａ（４０ｂ）から音場データがＢＳＣ制御装置１１ａ（１１ｂ）に与えられる。
【００７２】
この通信インターフェース４０ａ（４０ｂ）を介して与えられる音場データは、複数のデジタルフィルタ５１１，５１２‥‥５１ｍに供給される。デジタルフィルタ５１１，５１２‥‥５１ｍの伝達関数は、通信インターフェース４０ａ（４０ｂ）から与えられる信号に基づいて前述したＢＳＣの原理に基づき演算処理部８０によって算出され、決定されるものである。
【００７３】
デジタルフィルタ５１１，５１２‥‥５１ｍの出力の音場データは、ＤＡコンバータ６１１，６１２‥‥６１ｍでアナログ音声信号に変換され、その変換後の音声信号が、それぞれ音声増幅回路７１１，７１２‥‥７１ｍで増幅されてスピーカ２１１〜２１４に供給される。スピーカ２１１〜２１４は、前述したスピーカの配置状態で構成される。
【００７４】
演算処理部８０は、図では省略したがＣＰＵ，ＲＯＭおよびＲＡＭを備えるコンピュータ部として構成され、デジタルフィルタ５１１，５１２‥‥５１ｍのフィルタ係数を設定するものである。
【００７５】
演算処理部８０には、記憶装置部８５が接続される。記憶装置部８５は、ＢＳＣの原理に基づく演算結果のデータとして得られたデジタルフィルタ５１１，５１２‥‥５１ｍのフィルタ係数を記憶させておくものである。通信インターフェース４０ａ（４０ｂ）から与えられる信号に基づいて、演算部８０は、記憶部８５から該当するフィルタ係数を読み出し、デジタルフィルタ５１１，５１２‥‥５１ｍのフィルタ係数を設定するものである。
【００７６】
上記した手法により、共有空間の音場データを再生することにより、会話者は離れていても共通の空間を共有することができる。
【００７７】
この図８に示すものは、会話者が２名であるが、会話者が増える場合には同一セットを増加させればよい。
【００７８】
上記した音響空間共有装置では、共有音場作成室３０にて、共有音場をリアルタイムで作成することができる。しかし、リアルタイムで共有音場を再現する必要がない場合もある。図１０に示す実施形態は、リアルタイムで共有音場を再現する必要がない場合の音響空間共有装置を示す模式図である。
【００７９】
図１０に示すように、リアルタイムで共有音場を再現する必要がない場合には、予めＢＳＣマイクロフォンを用いて予め共有音場の音を収音しておく。そして、収音したデータから共有音場のデータ（Ｎ１）、（Ｎ２）を共有音場再現室の共有音場データ作成制御部３００の記憶装置などに格納しておく。そして、記憶装置から共有音場のデータ（Ｎ１）、（Ｎ２）を読み出し、再生する。
【００８０】
また、各会話者１、２の音声に関しても、再生用スピーカからＢＳＣマイクロフォンへの伝達関数（Ｌ１２、Ｌ２１）を音声信号に畳み込んだ信号を加えればよい。また、自分の音声信号に対しては、直接音成分を除いた伝達関数（Ｌ’１１、Ｌ’２２）を加えればよい。
【００８１】
この図に示すものでは、共有音場データ作成制御部３００に内に、ＢＳＣ制御システム回路を構成し、逆システムに係るフィルタ係数、音場データを音場再現装置に送り、ＢＳＣスピーカを駆動するように構成している。共有音場のデータ（Ｎ１）、（Ｎ２）、再生用スピーカからＢＳＣマイクロフォンへの伝達関数（Ｌ１２、Ｌ２１）、直接音成分を除いた伝達関数（Ｌ’１１、Ｌ’２２）を予め記憶装置に格納する。記憶装置には、様々な音場データを格納し、会話者１、２が希望する音場のデータを共有音場データ作成制御部３００は読み出してＢＳＣ制御するものである。
【００８２】
制御装置２０にて、音源再生装置１０ａ、１０ｂから送られてくる音声信号に、各伝達関数を畳み込んだ信号を加えて、逆システム用の信号（Ｍ１−１、Ｍ２−１）を生成して、各音源再生装置１０ａ、１０ｂに送出する。各音源再生装置１０ａ、１０ｂでは、送られてきた逆システムに係るフィルタ係数、音場データにてＢＳＣスピーカ２０ａ、２０ｂを駆動することで、共有音場を得ることができる。
【００８３】
このようなシステムを構成するメリットは、蓄積した様々な音場のデータベースを共有音場のデータとして利用できる。すなわち、共有音場のデータ（Ｎ１）、（Ｎ２）、再生用スピーカからＢＳＣマイクロフォンへの伝達関数（Ｌ１２、Ｌ２１）を多数の場所で計測し、蓄積することで会話者は様々な条件の音場を体験することができるようになる。伝達関数（Ｌ１２、Ｌ２１）は、無響室で計測したデータで代替えしたり、あるいは計算でもとめばよい。
【００８４】
さらに、会話者をビデオカメラで撮像し、そのデータを相手方に送り、共有音場に相手方の映像を重ね合わせることで、よりリアリティある会話を楽しむことができる。
【００８５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００８６】
この発明は、リアリティ感のあるテレビ会議システム、臨場感あふれる映画観賞装置などに適用することができる。
【図面の簡単な説明】
【００８７】
【図１】この発明の実施形態に係る音響空間共有装置の構成を示す模式図である。
【図２】この発明に用いられるＢＳＣマイクロフォンの構成を示す模式的斜視図である。
【図３】境界音場制御の原理を説明するための模式図である。
【図４】逆フィルタマトリクスの関係示す説明図である。
【図５】この発明に用いて好適な音場再現室を示す斜視図である。
【図６】この発明に用いて好適な音場再現室の外側の壁面を除いて、ＢＳＣスピーカシステムの配置状態を示す斜視図である。
【図７】この発明に用いて好適な音場再現室におけるスピーカシステムを下方から見た図である。
【図８】この発明の音響空間共有装置の構成を示すブロック図である。
【図９】この発明の音響空間共有装置における音場再生装置の構成例を示すブロック図である。
【図１０】この発明の異なる実施形態に係る音響空間共有装置の構成を示す模式図である。
【図１１】ＢＳＣ原理を用いて、会話者との間で空間を共有するシステムを示す模式図である。
【符号の説明】
【００８８】
１、２  会話者、１０、１０ａ、１０ｂ  音場再現室、１１、１１ａ、１１ｂ  ＢＳＣシステム制御部、１６ａ、１６ｂ  マイク、２０、２０ａ、２０ｂ  ＢＳＣスピーカ、３０  共有音場作成室、３１ａ、３１ｂ  ＢＳＣマイクロフォン、３２ａ、３２ｂ  音声スピーカ、３００  共有音場データ作成制御部。
【図１】
2008227773.tif 000008
【図２】
2008227773.tif 000009
【図３】
2008227773.tif 000010
【図４】
2008227773.tif 000011
【図５】
2008227773.tif 000012
【図６】
2008227773.tif 000013
【図７】
2008227773.tif 000014
【図８】
2008227773.tif 000015
【図９】
2008227773.tif 000016
【図１０】
2008227773.tif 000017
【図１１】
2008227773.tif 000018